【手続補正書】
【提出日】平成17年3月28日(2005.3.28)
【手続補正１】
【補正対象書類名】明細書
【補正対象項目名】発明の名称
【補正方法】変更
【補正の内容】
【発明の名称】画像撮影編集装置および方法
【手続補正２】
【補正対象書類名】明細書
【補正対象項目名】特許請求の範囲
【補正方法】変更
【補正の内容】
【特許請求の範囲】
【請求項１】
撮影手段で撮影される撮影画像を表示する第１表示手段を備えて撮影プレイを提供する撮影プレイ提供部と、
上記撮影プレイ提供部とは異なる場所に設けられ、上記撮影画像に対して編集入力を行うための編集画面を表示する第２表示手段を備えて編集プレイを提供する編集プレイ提供部と、
上記撮影プレイ提供部および編集プレイ提供部とは異なる場所に設けられ、上記編集プレイにおける編集に対する事前編集を行うための事前編集画面を表示する第３表示手段を備えて事前編集プレイを提供する事前編集プレイ提供部とを有することを特徴とする画像撮影編集装置。
【請求項２】
上記事前編集画面は、複数の撮影画像のなかから編集に使用する画像を選択する画面である請求項１記載の画像撮影編集装置。
【請求項３】
上記事前編集画面は、撮影画像の加工および／または色調調整を行う画面である請求項１または２記載の画像撮影編集装置。
【請求項４】
撮影手段で撮影される撮影画像を表示する第１表示手段を備えて撮影プレイを提供する撮影プレイ提供部と、
上記撮影プレイ提供部とは異なる場所に設けられ、上記撮影画像に対して編集入力を行うための編集画面を表示する第２表示手段を備えて編集プレイを提供する編集プレイ提供部と、
上記撮影プレイ提供部および編集プレイ提供部とは異なる場所に設けられ、上記編集プレイにおいて編集された画像を印刷する際の印刷レイアウトに関する印刷レイアウト画面を表示する第４表示手段を備えて印刷プレイを提供する印刷プレイ提供部とを有することを特徴とする画像撮影編集装置。
【請求項５】
上記印刷レイアウト画面は、印刷レイアウトの選択を行う画面である請求項４記載の画像撮影編集装置。
【請求項６】
上記印刷レイアウト画面は、使用者自ら印刷レイアウトの編成を行う画面である請求項４または５記載の画像撮影編集装置。
【請求項７】
上記編集プレイ提供部は第２表示手段を複数備えている請求項１〜６のいずれか一項に記載の画像撮影編集装置。
【請求項８】
第１表示手段を備えた撮影プレイ提供部と、上記撮影プレイ提供部とは異なる場所に設けられて第２表示手段を備えた編集プレイ提供部と、上記撮影プレイ提供部および編集プレイ提供部とは異なる場所に設けられて第３表示手段を備えた事前編集プレイ提供部とを有する装置による画像撮影編集方法であって、
上記第１表示手段に撮影手段で撮影される撮影画像を表示して撮影プレイを提供するステップと、上記第３表示手段に編集プレイにおける編集に対する事前編集を行うための事前編集画面を表示して事前編集プレイを提供するステップと、上記第２表示手段に撮影画像に対して編集入力を行うための編集画面を表示して編集プレイを提供するステップとを実行することを特徴とする画像撮影編集方法。
【請求項９】
上記事前編集画面は、複数の撮影画像のなかから編集に使用する画像を選択する画面である請求項８記載の画像撮影編集方法。
【請求項１０】
上記事前編集画面は、撮影画像の加工および／または色調調整を行う画面である請求項８または９記載の画像撮影編集方法。
【請求項１１】
第１表示手段を備えた撮影プレイ提供部と、上記撮影プレイ提供部とは異なる場所に設けられて第２表示手段を備えた編集プレイ提供部と、上記撮影プレイ提供部および編集プレイ提供部とは異なる場所に設けられて第４表示手段を備えた印刷プレイ提供部とを備えた装置による画像撮影編集方法であって、
上記第１表示手段に撮影手段で撮影される撮影画像を表示して撮影プレイを提供するステップと、上記第２表示手段に撮影画像に対して編集入力を行うための編集画面を表示して編集プレイを提供するステップと、上記第４表示手段に編集プレイにおいて編集された画像を印刷する際の印刷レイアウトに関する印刷レイアウト画面を表示して印刷プレイを提供するステップとを実行することを特徴とする画像撮影編集方法。
【請求項１２】
上記印刷レイアウト画面は、印刷レイアウトの選択を行う画面である請求項１１記載の画像撮影編集方法。
【請求項１３】
上記印刷レイアウト画面は、使用者自ら印刷レイアウトの編成を行う画面である請求項１１または１２記載の画像撮影編集方法。
【請求項１４】
上記編集プレイ提供部は第２表示手段を複数備えている請求項１〜１３のいずれか一項に記載の画像撮影編集方法。
【手続補正３】
【補正対象書類名】明細書
【補正対象項目名】０００１
【補正方法】変更
【補正の内容】
【０００１】
【発明の属する技術分野】
本発明は、ゲームセンター等に設置され、硬貨等の投入により使用者を撮影し、撮影画像をプリントして販売する写真自販機の画像撮影編集装置および方法に関するものである。
【手続補正４】
【補正対象書類名】明細書
【補正対象項目名】００１３
【補正方法】変更
【補正の内容】
【００１３】
本発明は、このような事情に鑑みなされたもので、被写体である顧客が気分よく利用できるとともに、顧客の回転率を向上させることができる画像撮影編集装置および方法の提供を目的とする。
【手続補正５】
【補正対象書類名】明細書
【補正対象項目名】００１４
【補正方法】変更
【補正の内容】
【００１４】
【課題を解決するための手段】
上記目的を達成するため、本発明の第１の画像撮影編集装置は、撮影手段で撮影される撮影画像を表示する第１表示手段を備えて撮影プレイを提供する撮影プレイ提供部と、上記撮影プレイ提供部とは異なる場所に設けられ、上記撮影画像に対して編集入力を行うための編集画面を表示する第２表示手段を備えて編集プレイを提供する編集プレイ提供部と、上記撮影プレイ提供部および編集プレイ提供部とは異なる場所に設けられ、上記編集プレイにおける編集に対する事前編集を行うための事前編集画面を表示する第３表示手段を備えて事前編集プレイを提供する事前編集プレイ提供部とを有することを要旨とする。
また、本発明の第２の画像撮影編集装置は、撮影手段で撮影される撮影画像を表示する第１表示手段を備えて撮影プレイを提供する撮影プレイ提供部と、上記撮影プレイ提供部とは異なる場所に設けられ、上記撮影画像に対して編集入力を行うための編集画面を表示する第２表示手段を備えて編集プレイを提供する編集プレイ提供部と、上記撮影プレイ提供部および編集プレイ提供部とは異なる場所に設けられ、上記編集プレイにおいて編集された画像を印刷する際の印刷レイアウトに関する印刷レイアウト画面を表示する第４表示手段を備えて印刷プレイを提供する印刷プレイ提供部とを有することを要旨とする。
また、本発明の第１の画像撮影編集方法は、第１表示手段を備えた撮影プレイ提供部と、上記撮影プレイ提供部とは異なる場所に設けられて第２表示手段を備えた編集プレイ提供部と、上記撮影プレイ提供部および編集プレイ提供部とは異なる場所に設けられて第３表示手段を備えた事前編集プレイ提供部とを有する装置による画像撮影編集方法であって、上記第１表示手段に撮影手段で撮影される撮影画像を表示して撮影プレイを提供するステップと、上記第３表示手段に編集プレイにおける編集に対する事前編集を行うための事前編集画面を表示して事前編集プレイを提供するステップと、上記第２表示手段に撮影画像に対して編集入力を行うための編集画面を表示して編集プレイを提供するステップとを実行することを要旨とする。
また、本発明の第２の画像撮影編集方法は、第１表示手段を備えた撮影プレイ提供部と、上記撮影プレイ提供部とは異なる場所に設けられて第２表示手段を備えた編集プレイ提供部と、上記撮影プレイ提供部および編集プレイ提供部とは異なる場所に設けられて第４表示手段を備えた印刷プレイ提供部とを備えた装置による画像撮影編集方法であって、
上記第１表示手段に撮影手段で撮影される撮影画像を表示して撮影プレイを提供するステップと、上記第２表示手段に撮影画像に対して編集入力を行うための編集画面を表示して編集プレイを提供するステップと、上記第４表示手段に編集プレイにおいて編集された画像を印刷する際の印刷レイアウトに関する印刷レイアウト画面を表示して印刷プレイを提供するステップとを実行することを要旨とする。
【手続補正６】
【補正対象書類名】明細書
【補正対象項目名】００１５
【補正方法】変更
【補正の内容】
【００１５】
すなわち、本発明の第１の画像撮影編集装置および方法は、上記編集プレイの前に編集プレイの準備である事前編集プレイを行うように構成したものである。
【手続補正７】
【補正対象書類名】明細書
【補正対象項目名】００３５
【補正方法】変更
【補正の内容】
【００３５】
また、本発明の第２の画像撮影編集装置および方法は、上記編集プレイの後に、第４表示手段に編集プレイにおいて編集された画像を印刷する際の印刷レイアウトに関する印刷レイアウト画面を表示して印刷プレイを提供するように構成したものである。
【手続補正８】
【補正対象書類名】明細書
【補正対象項目名】００３６
【補正方法】変更
【補正の内容】
【００３６】
編集プレイに印刷プレイが付属したようなことも行われるのであるが、上記編集プレイと印刷プレイが明確に区分され、編集プレイと印刷プレイを独立した形態で存在させることとなり、印刷プレイを含まない状態の編集プレイによって編集プレイの時間短縮が図られる。これにより、異なる使用者は上記４種類のプレイに一斉に携わることが可能となり、いわゆる「４重接客方式」が実現し、使用者の流れが間断なく円滑になり、使用者の待ち時間の短縮化や順番待ちのいらいら感の解消が促進され、顧客サービスの向上，顧客回転率向上に伴う売上向上等が実現する。
【手続補正９】
【補正対象書類名】明細書
【補正対象項目名】００３７
【補正方法】変更
【補正の内容】
【００３７】
具体的な所要時間については、例えば、撮影プレイ，事前編集プレイ，編集プレイ，印刷プレイのそれぞれの最長プレイ時間を３分とした場合、１組の利用者は合計で１２分プレイできることになる。また、同時に４組の利用者が利用できるので、１時間に２０組の利用者が利用できる。従来の全てのプレイを別個に設けられていない場合は、１利用者に対して１０分のプレイ時間を提供したとしても、６組しか利用できなく、その効果は絶大である。また、利用者にも、十分なプレイ時間を提供できるので、より満足のいく遊戯を提供することができる。
【手続補正１０】
【補正対象書類名】明細書
【補正対象項目名】００３８
【補正方法】変更
【補正の内容】
【００３８】
さらに、使用者自らがプリント写真のレイアウトを、新たに編成したような場合には、このようなレイアウト自体の編成に長時間を要する場合が多いので、編集プレイを行う場所と印刷プレイを行う場所を明確に区分しておくことにより、編集プレイと印刷プレイとの所要時間の平準化を図ることができる。
さらに、上記の画像撮影編集装置または方法に用いられる印刷媒体が準備され、この印刷媒体に対して上記のような短時間・高回転率のプレイでえられた画像が印刷される。
【手続補正１１】
【補正対象書類名】明細書
【補正対象項目名】００９０
【補正方法】変更
【補正の内容】
【００９０】
以上のように、本発明の第１の画像撮影編集装置および方法によれば、上記事前編集プレイのステップを新規に介入させ、編集プレイに先だって遂行されるべき準備的な作業を、事前編集プレイにおいてあらかじめ完了させておくことができる。このような事前編集プレイとしては、例えば、編集したい写真の選定，写真の明るさの調整，写真の回転角度の調整，写真の切り抜き等の編集プレイの準備段階に相当する項目があげられる。
【手続補正１２】
【補正対象書類名】明細書
【補正対象項目名】００９２
【補正方法】変更
【補正の内容】
【００９２】
また、本発明の第２の画像撮影編集装置および方法によれば、編集プレイに印刷プレイが付属したようなことも行われるのであるが、上記編集プレイと印刷プレイが明確に区分され、編集プレイと印刷プレイを独立した形態で存在させることとなり、印刷プレイを含まない状態の編集プレイによって編集プレイの時間短縮が図られる。これにより、異なる使用者は上記４種類のプレイに一斉に携わることが可能となり、いわゆる「４重接客方式」が実現し、使用者の流れが間断なく円滑になり、使用者の待ち時間の短縮化や順番待ちのいらいら感の解消が促進され、顧客サービスの向上，顧客回転率向上に伴う売上向上等が実現する。
具体的な所要時間については、例えば、撮影プレイ，事前編集プレイ，編集プレイ，印刷プレイのそれぞれの最長プレイ時間を３分とした場合、１組の利用者は合計で１２分プレイできることになる。また、同時に４組の利用者が利用できるので、１時間に２０組の利用者が利用できる。従来の全てのプレイを別個に設けられていない場合は、１利用者に対して１０分のプレイ時間を提供したとしても、６組しか利用できなく、その効果は絶大である。また、利用者にも、十分なプレイ時間を提供できるので、より満足のいく遊戯を提供することができる。
さらに、使用者自らがプリント写真のレイアウトを、新たに編成したような場合には、このようなレイアウト自体の編成に長時間を要する場合が多いので、編集プレイを行う場所と印刷プレイを行う場所を明確に区分しておくことにより、編集プレイと印刷プレイとの所要時間の平準化を図ることができる。